(57)【要約】【課題】従来技術においては、例えば、非通常利用者におけるダブルデッキエレベータの利便性の点でさらなる改善の余地がある。【解決手段】実施形態のダブルデッキエレベータシステムは、登録装置と、制御装置と、撮像装置とを備える。制御装置は、撮像装置によって撮像された利用者の撮像情報から、当該利用者が非通常利用者であるか否かを画像認識により判定する。そして、制御装置は、利用者が非通常利用者であると判定した場合であって、かつ、当該非通常利用者による登録装置に対する操作が検出された場合には、ダブルデッキエレベータの運行制御方式を、ダブル運転モードからシングル運転モードに切り替えた上で、非通常利用者が待機する階床の乗場へ、上下の各乗りかごのうち使用可能な乗りかごを移動させる。【選択図】図１
2017001812.tif 000002
【特許請求の範囲】
【請求項１】
上下に連結された２つの乗りかごを有するダブルデッキエレベータの外部に設けられ、当該ダブルデッキエレベータが設けられる建物内の行先階を登録可能である登録装置と、
上下の各乗りかごを１階床おきに応答させるダブル運転モードにて、利用者により登録された前記行先階に応じて割り当てられた前記乗りかごを、当該利用者が待機する前記ダブル運転モードにおいて停止可能な所定の階床の乗場へ移動させる制御装置と、
前記登録装置によって前記行先階を登録した前記利用者を撮像する撮像装置と、
を備え、
前記制御装置は、
前記撮像装置によって撮像された前記利用者の撮像情報から、当該利用者が非通常利用者であるか否かを画像認識により判定し、
前記利用者が前記非通常利用者であると判定した場合であって、かつ、当該非通常利用者による前記登録装置に対する操作が検出された場合には、前記ダブルデッキエレベータの運行制御方式を、前記ダブル運転モードから、上下の各乗りかごの一方のかごを未使用にして他方の乗りかごを各階に応答させるシングル運転モードに切り替えた上で、前記非通常利用者が待機する階床の前記乗場へ、前記上下の各乗りかごのうち使用可能な前記他方の乗りかごを移動させることを特徴とするダブルデッキエレベータシステム。
【請求項２】
前記登録装置は、前記利用者を識別するための識別情報が事前に記憶された利用者識別装置から、当該識別情報を読み取ることで識別する登録時識別装置を設けており、
前記登録装置に対する操作とは、前記非通常利用者が前記登録時識別装置に対して前記利用者識別装置に記憶された前記識別情報を読み取らせる操作である請求項１に記載のダブルデッキエレベータシステム。
【請求項３】
前記登録装置は、前記非通常利用者専用の所定ボタンを設けており、
前記登録装置に対する操作とは、前記非通常利用者が前記所定ボタンを押下する操作である請求項１に記載のダブルデッキエレベータシステム。
【請求項４】
前記非通常利用者は、車椅子利用者、台車利用者、及び、高齢者のうち少なくとも１つを含む請求項１乃至３のうちいずれか１項に記載のダブルデッキエレベータシステム。
【発明の詳細な説明】
【技術分野】
【０００１】
本発明の実施形態は、ダブルデッキエレベータシステムに関する。
【背景技術】
【０００２】
従来、エレベータは、昇降路内を乗りかごが移動することにより、乗りかごを任意の階床に移動させるものが一般的であるが、一方で、エレベータの乗りかごに乗り込む前に乗場において事前に行先階を登録する乗場行先階登録システムが開発されている。また、近年、このような乗場行先階登録システムは、上下に連結された２つの乗りかごを有するダブルデッキエレベータにも採用されている。
【０００３】
一般に、ダブルデッキエレベータの運行制御方式には、上下の各乗りかごを１階床おきに応答させる、例えば下かごを奇数階、上かごを偶数階に応答させる「ダブル運転モード」、および、上下の各乗りかごの一方のかごを未使用にして、他方の乗りかごを各階に応答させる「シングル運転モード」などがある。従来のダブルデッキエレベータシステムは、出勤時などの混雑時には「ダブル運転モード」を選択し、夜間などの閑散時には「シングル運転モード」を選択するなど、時間帯や混雑状況に応じて運転モードを切り替えて、輸送効率の向上を図っている。
【０００４】
ここで、「ダブル運転モード」では、上下の各乗りかごで応答可能な階が制限されるので、乗客が直接目的階に行くことができないことがある。この場合、乗客は目的階の１階床手前もしくは１階床先の階床で乗りかごから降り、そこから目的階へ階段またはエスカレーターを利用することとなる。階段やエスカレーターを一人で利用するのが困難な乗客、例えば車椅子利用者、台車利用者、及び、高齢者などの非通常利用者にとっては、非常に不便である。
【０００５】
そこで、従来から、車椅子利用者等の非通常利用者がダブルデッキエレベータを利用する場合には、ダブル運転モードをシングル運転モードに切り替える技術が報告されている。更に、非通常利用者以外の利用者がダブル運転モードからシングルモード運転に切り替えられないように非通常利用者の操作を検出する技術も開発されている。
【先行技術文献】
【特許文献】
【０００６】
【特許文献１】特開２００６−２８２３０８号公報
【特許文献２】特開２０１２−１８８１７９号公報
【特許文献３】特開２０１３−０４９５５５号公報
【特許文献４】特開２０１０−０９５３７８号公報
【特許文献５】特開２００４−１３１２２６号公報
【特許文献６】特開平１１−０７１０６３号公報
【発明の概要】
【発明が解決しようとする課題】
【０００７】
ところで、従来技術においては、非通常利用者におけるダブルデッキエレベータの利便性の点で、さらなる改善の余地がある。
【課題を解決するための手段】
【０００８】
実施形態のダブルデッキエレベータシステムは、登録装置と、制御装置と、撮像装置とを備える。前記登録装置は、上下に連結された２つの乗りかごを有するダブルデッキエレベータの外部に設けられ、当該ダブルデッキエレベータが設けられる建物内の行先階を登録可能である。前記制御装置は、上下の各乗りかごを１階床おきに応答させるダブル運転モードにて、利用者により登録された前記行先階に応じて割り当てられた前記乗りかごを、当該利用者が待機する前記ダブル運転モードにおいて停止可能な所定の階床の乗場へ移動させる。前記撮像装置は、前記登録装置によって前記行先階を登録した前記利用者を撮像する。ここで、前記制御装置は、前記撮像装置によって撮像された前記利用者の撮像情報から、当該利用者が非通常利用者であるか否かを画像認識により判定する。そして、前記制御装置は、前記利用者が前記非通常利用者であると判定した場合であって、かつ、当該非通常利用者による前記登録装置に対する操作が検出された場合には、前記ダブルデッキエレベータの運行制御方式を、前記ダブル運転モードから、上下の各乗りかごの一方のかごを未使用にして他方の乗りかごを各階に応答させるシングル運転モードに切り替えた上で、前記非通常利用者が待機する階床の前記乗場へ、前記上下の各乗りかごのうち使用可能な前記他方の乗りかごを移動させる。
【図面の簡単な説明】
【０００９】
【図１】図１は、実施形態１に係るダブルデッキエレベータシステムの概略構成例を示すブロック図である。
【図２】図２は、実施形態１に係る乗場の概略構成例を示す模式図である。
【図３】図３は、実施形態１に係る乗場行先階登録装置の一例を示す正面図である。
【図４】図４は、実施形態１に係るかご内行先階表示装置の正面図である。
【図５】図５は、実施形態１に係るダブルデッキエレベータシステムの登録時識別装置について説明する模式図である。
【図６】図６は、実施形態１に係るダブルデッキエレベータシステムにおける基本制御の一例について説明するフローチャートである。
【図７】図７は、実施形態１に係るダブルデッキエレベータシステムにおける運行制御方式切替制御の一例について説明するフローチャートである。
【図８】図８は、変形例に係る乗場行先階登録装置の正面図である。
【図９】図９は、実施形態２に係るダブルデッキエレベータシステムの行先階登録装置の概略構成例を示す斜視図である。
【発明を実施するための形態】
【００１０】
［実施形態１］
図１は、実施形態１に係るダブルデッキエレベータシステムの概略構成例を示すブロック図、図２は、実施形態１に係る乗場の概略構成例を示す模式図、図３は、実施形態１に係る乗場行先階登録装置の一例を示す正面図、図４は、実施形態１に係るかご内行先階表示装置の正面図、図５は、実施形態１に係るダブルデッキエレベータシステムの登録時識別装置について説明する模式図、図６は、実施形態１に係るダブルデッキエレベータシステムにおける基本制御の一例について説明するフローチャート、図７は、実施形態１に係るダブルデッキエレベータシステムにおける運行制御方式切替制御の一例について説明するフローチャート、図８は、変形例に係る乗場行先階登録装置の正面図である。
【００１１】
本実施形態のダブルデッキエレベータシステム１は、図１に示すように、群管理制御装置２を備え、エレベータ群３を群管理し効率的な運行サービスを行うものである。ここでは、エレベータ群３は、Ａ号機からＤ号機までの複数のダブルデッキエレベータ４からなり、複数の乗りかご５がそれぞれ昇降路を昇降することで運行サービスを行う。なお、以下の説明では、エレベータ群３は、Ａ号機からＤ号機の４つのダブルデッキエレベータ４を備えるものとして説明するが、これに限らず、２つ、あるいは３つを備えるものであってもよいし、５つ以上を備えるものであってもよい。また、以下の説明では、Ａ号機からＤ号機の４つのダブルデッキエレベータ４は、特に断りのない限り、単にエレベータ４として説明する。本実施形態において、ダブルデッキエレベータ４は、図１に示すように、上下に連結された２つの乗りかごを有し、上かご及び下かごに対して夫々、かご内行先階表示装置１４と、乗りかご識別装置１８と、報知装置２０と備えて構成される。また、本実施形態のダブルデッキエレベータシステム１は、制御装置５０を含んで構成され、この制御装置５０は、上記群管理制御装置２と、後述の複数の単体制御装置９とを含んで構成される。
【００１２】
各エレベータ４は、それぞれ、乗りかご５、カウンタウェイト６、メインロープ７、巻上機８、単体制御装置９等を含んで構成される。各エレベータ４は、それぞれ、建物に設けられた昇降路を昇降可能な乗りかご５とつり合おもりとしてのカウンタウェイト６とをメインロープ７で連結したいわゆるつるべ式のエレベータである。ここでは、メインロープ７は、昇降路の上部に設けられた巻上機８のメインシーブ８ａやそらせシーブ（不図示）等に掛けられて、一端に乗りかご５が接続され、他端にカウンタウェイト６が接続される。巻上機８は、例えば、動力を発生させる電動機（モータ）８ｂを有し、電動機８ｂが駆動することで、この電動機８ｂに連結されたメインシーブ８ａが回転駆動し、メインシーブ８ａとメインロープ７との間に生じる摩擦力を利用してメインロープ７を電動で巻き上げる。各エレベータ４は、単体制御装置９によって各部の駆動が統括的に制御されて乗りかご５が昇降路内を昇降することで、設定されたダブルデッキエレベータの運行制御方式に従って、目的階の乗場１０（図２等も参照）に移動することができる。
【００１３】
ここで、本実施形態において、ダブルデッキエレベータの運行制御方式について説明する。まず、「ダブル運転モード」とは、例えば、下かごが奇数階で上かごが偶数階に着床するようになっている運行制御方式である。したがって、利用者は、乗りかご内に乗り込む前に、利用者が行こうとしている目的階床が奇数階であるか偶数階であるかを確認し、その上で着床することとなっているかご側へ間違うことなく乗り込むようにしなければならない。この運行制御方式は、利用者の便宜をある程度犠牲にして、運行効率の向上を図ったものということができる。このように、本実施形態において、ダブル運転モードとは、上下の各乗りかごを１階床おきに応答させるという、運行効率の向上を重視したダブルデッキエレベータの特有の構造による運行制御方式である。
【００１４】
また、「シングル運転モード」とは、下かご又は上かごのいずれかを閉鎖し、一方の乗りかごに利用者を乗せる運行制御方式である。この運行制御方式は、ダブルデッキエレベータではない通常のエレベータと同様の運行制御方式となる。但し、この「シングル運転モード」を行う場合、最上階又は最下階では閉鎖した側のかごが上方向又は下方向に突出することになるので、その分余分なスペースが確保されている必要がある。このように、本実施形態において、シングル運転モードとは、上下の各乗りかごの一方のかごを未使用にして他方の乗りかごを各階に応答させるという、ダブルデッキエレベータの特有の構造を活かすというよりも一般的なエレベータと同様の動きをさせるダブルデッキエレベータの運行制御方式である。
【００１５】
図１に戻り、単体制御装置９は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、現在使用されているダブルデッキエレベータの運行制御方式（ダブル運転モード又はシングル運転モード）の状況を示すステータスデータ、各運行制御方式に応じて切替えられるエレベータ４の停止階床を規定したテーブル、予め用意されたマップデータ、エレベータ４の仕様等の情報を記憶するバックアップＲＡＭ及び入出力ポート装置を有するマイクロコンピュータ及び駆動回路を備えている。単体制御装置９は、種々のセンサ、検出器や巻上機８等のエレベータ４の各部と電気的に接続され、エレベータ４単体の各部の動作を統括的に制御する。
【００１６】
ここで、本実施形態のダブルデッキエレベータシステム１は、例えば、利用者が乗りかご５の外側の乗場１０に配置された登録装置としての乗場行先階登録装置１１を介して行先階を登録し、これに応じてエレベータ群３を群管理して運行効率の向上を図る乗場行先階登録システム、いわゆるＤＣＳ（Ｄｅｓｔｉｎａｔｉｏｎ  Ｃｏｎｔｒｏｌ  Ｓｙｓｔｅｍ）と呼ばれるシステムである。
【００１７】
ダブルデッキエレベータシステム１は、乗場行先階登録装置１１と、号機識別標識装置１２と、乗場行先階表示装置１３と、かご内行先階表示装置１４と、撮像装置３０と、を含んで構成される。乗場行先階登録装置１１、乗場行先階表示装置１３、撮像装置３０は、それぞれ群管理制御装置２と接続され、各かご内行先階表示装置１４は、それぞれ対応する単体制御装置９と接続されている。なお、以下の説明において、撮像装置３０が、乗場行先階登録装置１１の一部として組み込まれている例について説明するが、これに限定されず、乗場行先階登録装置１１とは別の装置として構成されていてもよい。
【００１８】
乗場行先階登録装置１１、号機識別標識装置１２、乗場行先階表示装置１３は、図２に示すように、乗りかご５の外部、典型的には、乗場１０に設けられる。
【００１９】
乗場行先階登録装置１１は、利用者による操作入力に応じて呼び登録信号を群管理制御装置２に出力しいわゆる乗場呼び登録を行うものである。本実施形態の乗場行先階登録装置１１は、利用者が乗場１０で行先階を指定するためのものであり、乗場呼び登録として行先階を登録する。乗場行先階登録装置１１は、好ましくは各階床の乗場１０に１つ以上設けられる。ここでは、乗場行先階登録装置１１は、各乗場１０における乗りかご乗降口の扉脇等に複数設けられる。
【００２０】
なお、この複数の乗場行先階登録装置１１のうちのいくつかは、乗場１０の手前にゲート状に設けられていてもよい。また、すべての階床に乗場行先階登録装置１１を設けない場合、乗場行先階登録装置１１が設けられない階には、通常の呼び装置（上方向への移動又は下方向への移動を登録する呼び装置）が設けられる。
【００２１】
この乗場行先階登録装置１１は、より詳細には、図３に示すように、乗りかご５が停止可能な階床の番号が付された複数の入力スイッチ（入力装置）１５ａや文字や図形などの種々の情報を画像として表示可能である表示部１６等を含んで構成される。利用者は、入力スイッチ１５ａによって希望する行先階を乗場行先階登録装置１１へ入力することにより行先階が登録される。
【００２２】
本実施形態において、乗場行先階登録装置１１は、図３に示すように、乗場行先階登録装置１１によって行先階を登録した利用者を撮像する撮像装置３０を更に備えて構成される。例えば、撮像装置３０は、図３に示すように、乗場行先階登録装置１１における表示部１６の上側に組み込まれている。ここで、撮像装置３０は、静止画および動画を撮像可能なカメラである。撮像装置３０は、利用者が乗場行先階登録装置１１に対する操作が検出されたことを契機に撮像を行うことで、乗場行先階登録装置１１によって行先階を登録した利用者を撮像する。撮像装置３０によって撮像された利用者の撮像情報は、制御装置５０としての群管理制御装置２へ送信される。
【００２３】
ここで、乗場行先階登録装置１１に対する操作とは、非通常利用者が後述の登録時識別装置１７に対して後述の利用者識別装置１９に記憶された識別情報を読み取らせる操作、及び、非通常利用者が、非通常利用者専用の所定ボタンを押下する操作を含む。また、非通常利用者とは、階段やエスカレーターを一人で利用するのが困難な利用者であり、これらに限定されないが、車椅子利用者、台車利用者、及び、高齢者のうち少なくとも１つを含む。
【００２４】
また、乗場行先階登録装置１１は、図３に示すように、利用者を識別するための識別情報が事前に記憶された後述の利用者識別装置１９から、当該識別情報を読み取ることで、乗場行先階登録装置１１に対する操作を行った利用者を識別する登録時識別装置１７を設けていてもよい。登録時識別装置１７は、乗場行先階登録装置１１によって行先階を登録した利用者を識別する機能を有する。利用者の識別結果は、登録時識別装置１７から制御装置５０としての群管理制御装置２へ送信される。例えば、登録時識別装置１７は、図３に示すように、乗場行先階登録装置１１における入力スイッチ１５ａの下側に組み込まれている。
【００２５】
ここで、登録時識別装置１７は、例えば、図５に例示するように、ＲＦＩＤ（Ｒａｄｉｏ  Ｆｒｅｑｕｅｎｃｙ  ＩＤｅｎｔｉｆｉｃａｔｉｏｎ）タグ等が内蔵された利用者識別装置１９としてのＩＣカードに記憶されている識別情報を読み取る。ＩＣカードは、利用者を識別するための識別番号等の情報が識別情報として事前に記憶されている。登録時識別装置１７は、例えば、電磁界、電波あるいは赤外線などを用いた無線通信によって利用者識別装置１９としてのＩＣカードと情報をやりとりする。登録時識別装置１７は、利用者識別装置１９から読み取った識別情報が非通常利用者を示すものである場合、非通常利用者により行先階の登録がなされたものとして、撮像装置３０を制御して、登録した利用者を撮像させる。
【００２６】
この他、登録時識別装置１７には、非通常利用者専用の所定ボタンが、乗場行先階登録装置１１における入力スイッチ１５ａの下側に組み込まれていてもよい。登録時識別装置１７は、所定ボタンが押下された場合、非通常利用者により行先階の登録がされたものとして、撮像装置３０を制御して、登録した利用者を撮像させる。また、登録時識別装置１７は、図３に示した登録時識別装置１７と、非通常利用者専用の所定ボタンとを、両方備えて構成されていてもよい。
【００２７】
ここで、図２に戻り、号機識別標識装置１２は、利用者が乗車すべき号機、すなわち、乗場行先階登録装置１１を介して登録した行先階に応じて割り当てられた乗りかご５を区別して認識できるように、エレベータ号機を利用者に識別させるための標識である。号機識別標識装置１２は、乗場１０において各号機に対応する扉上に、それぞれの号機に対応して設けられている。ここでは、号機識別標識装置１２は、Ａ号機からＤ号機までのエレベータ４に対応して４つ設けられており、それぞれ各号機を識別可能なように「Ａ」、「Ｂ」、「Ｃ」、「Ｄ」などの文字が表示されている。
【００２８】
乗場行先階表示装置１３は、図２に示すように、文字や図形などの種々の情報を画像として表示可能なものである。乗場行先階表示装置１３は、乗場１０において各号機に対応する扉脇上部に、それぞれの号機に対応して設けられている。ここでは、乗場行先階表示装置１３は、Ａ号機からＤ号機までのエレベータ４に対応して４つ設けられている。各乗場行先階表示装置１３は、例えば、図２に示すように、それぞれ乗場１０の利用者に対して各号機が停止予定の行先階を表示する。
【００２９】
かご内行先階表示装置１４は、文字や図形などの種々の情報を画像として表示可能なものである。かご内行先階表示装置１４は、各乗りかご５内の扉脇上部にそれぞれ設けられている。ここでは、かご内行先階表示装置１４は、各乗りかご５に対して扉両脇に一対で設けられる。かご内行先階表示装置１４は、図４に示すように、乗りかご５内の利用者に対して当該乗りかご５の停止予定の行先階を表示する。この他、かご内行先階表示装置１４は、利用者に対するメッセージ等の情報も表示可能である。例えば、図４の例では、ダブルデッキエレベータの上かごに対応する乗りかご５内に備えられたかご内行先階表示装置１４が示されている。ダブル運転モードでは、上かごに対応する乗りかごの停止可能な階は、例えば、偶数階であるため、かご内行先階表示装置１４中に、停止予定の行先階として、２階、４階、６階、８階、１０階が表示されている。
【００３０】
そして、群管理制御装置２は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、非通常利用者を画像認識により識別するための画像解析プログラムや、予め用意されたマップデータ、エレベータ４の仕様等の情報を記憶するバックアップＲＡＭ及び入出力ポート装置を有するマイクロコンピュータ及び駆動回路を備えている。群管理制御装置２は、複数のエレベータ４の各単体制御装置９と相互に検出信号や駆動信号、制御指令等の情報の通信信号等の授受を行い、エレベータ群３を群管理する。
【００３１】
上記のように構成されるエレベータ群３は、利用者により乗場行先階登録装置１１を介して乗場呼び登録操作が行われた場合に、乗場行先階登録装置１１から群管理制御装置２にこれに応じた呼び登録信号が入力され、群管理制御装置２がこの呼び登録信号に応じて乗りかご５の乗場呼び登録を行う。そして、群管理制御装置２は、例えば、各エレベータ４の複数の乗りかご５から、ダブルデッキエレベータの運行制御方式（ダブル運転モード又はシングル運転モード）に従って、各乗りかご５の状態に応じてエレベータ４の乗場１０からの乗場呼び登録に応答する最適な乗りかご５を割り当てる群管理制御を実行する。
【００３２】
群管理制御装置２は、ダブルデッキエレベータの運行制御方式に従った上で、例えば、呼び登録信号に基づいたエレベータ群３の全呼び出し数（総利用者数）やそれぞれの行先階に対する呼び出し数、種々のセンサ、検出器からの出力、乗りかご５の現在位置及び移動方向（昇降方向）、これから発生すると予測される乗場呼び、かご呼び、予測される行先階等の各エレベータ４、各乗りかご５の状態に基づいて、発生した呼びに対して所定の評価演算を行う。そして、群管理制御装置２は、この所定の評価演算に応じて、各乗りかご５が合理的に移動しながらそれぞれの呼びに最適に応答するように、乗りかご５の着床順序等を定めて各呼びに応答する乗りかご５を割り当てて、応答乗りかご５を決定する割当処理を行い、複数の乗りかご５の運行を効率的に割り振り、エレベータ群３全体として効率的な運行サービスを行う。
【００３３】
そして、群管理制御装置２は、乗場行先階登録装置１１を介して登録された行先階に対して、上記のようにして割り振られて応答する乗りかご５の号機を、配車情報として該当する乗場行先階登録装置１１の表示部１６に表示すると共に、各号機の乗場行先階表示装置１３、かご内行先階表示装置１４に停止予定の行先階を表示する。これにより、利用者は、表示部１６に表示された号機に対応する扉の前まで移動し、そこで待機するように促がされ、対応した乗りかご５に円滑に乗車することが可能となる。
【００３４】
そして、単体制御装置９は、群管理制御装置２からの割り当てに応じて、巻上機８を駆動制御し、乗りかご５を目的の階床へと移動させる。これにより、各エレベータ４は、乗りかご５が昇降路内を鉛直方向上下に昇降移動し、目的階の乗場１０に移動する。そして、各エレベータ４は、乗りかご５が目的階の乗場１０に着床し、所定の着床位置に着床したことが検出され、扉が開放される。これにより、乗場１０で待機している利用者は、乗りかご５内に乗り込むことが可能となり、また、乗りかご５内の利用者は乗場１０に降りることが可能となる。
【００３５】
ここで、本実施形態の乗場行先階登録装置１１は、登録時識別装置１７が組み込まれている。また、各乗りかご５は、それぞれ乗りかご識別装置１８が設けられている。そして、各単体制御装置９は、登録時識別装置１７による識別結果である登録時識別結果と乗りかご識別装置１８による識別結果である乗りかご内識別結果とに基づいて、各乗りかご５内の利用者を照合する処理を行う。これにより、ダブルデッキエレベータシステム１は、運行効率の向上を図っている。
【００３６】
利用者は、入力スイッチ１５ａによって希望する行先階を入力した後、利用者識別装置１９を登録時識別装置１７にかざすことで、自身が携行している利用者識別装置１９の識別情報をこの登録時識別装置１７に読み取らせる。登録時識別装置１７は、この読み取った識別情報に基づいて、乗場行先階登録装置１１によって行先階を登録した利用者を識別する。登録時識別装置１７は、識別した利用者の識別情報を登録時識別結果として群管理制御装置２に出力する。
【００３７】
乗りかご識別装置１８は、乗りかご５に乗り込んだ利用者を識別するものである。乗りかご識別装置１８は、各乗りかご５にそれぞれ１つずつ設けられる。乗りかご識別装置１８は、登録時識別装置１７と同様に、利用者識別装置１９に記憶されている識別情報を読み取る。乗りかご識別装置１８は、例えば、電磁界、電波あるいは赤外線などを用いた無線通信によって利用者識別装置１９と情報をやりとりする。乗りかご識別装置１８は、この乗りかご識別装置１８が設けられた乗りかご５内に乗車している利用者が携行する利用者識別装置１９の識別情報を読み取る。
【００３８】
利用者は、例えば、登録時識別装置１７にて識別情報を読み取らせた利用者識別装置１９をそのまま携行して、登録した行先階に応じて割り当てられた乗りかご５に乗車することで、乗りかご識別装置１８に自身が携行している利用者識別装置１９の識別情報を読み取らせる。乗りかご識別装置１８は、この読み取った識別情報に基づいて、乗りかご５に乗り込んだ利用者を識別する。乗りかご識別装置１８は、識別した利用者の識別情報を乗りかご内識別結果として、対応する単体制御装置９に出力する。
【００３９】
各単体制御装置９は、登録時識別装置１７による識別結果である登録時識別結果と乗りかご識別装置１８による識別結果である乗りかご内識別結果とに基づいて、乗りかご５内の利用者を照合するものである。上記群管理制御装置２は、登録時識別装置１７から入力された登録時識別結果の信号を、乗場行先階登録装置１１によって登録された行先階に応じて割り当てられた乗りかご５の単体制御装置９に出力する。また、各単体制御装置９は、対応する乗りかご５の乗りかご識別装置１８から乗りかご内識別結果の信号が入力される。
【００４０】
そして、各単体制御装置９は、登録時識別装置１７による登録時識別結果と、乗りかご識別装置１８による乗りかご内識別結果とに基づいて、各単体制御装置９が制御する乗りかご５に割り当てられた利用者が当該乗りかご５に乗り込んだか否かを判定する。つまり、単体制御装置９は、登録時識別結果と乗りかご内識別結果とに基づいて、乗場行先階登録装置１１によって登録された行先階に応じて割り当てられた乗りかご５に、この行先階を登録した利用者が乗り込んだか否かを判定する。さらに言い換えれば、各単体制御装置９は、登録時識別結果と乗りかご内識別結果とに基づいて、乗場行先階登録装置１１によって登録された行先階に応じて各乗りかご５に対して割り当てられた利用者が、当該乗りかご５に乗り込んだか否かを判定する。
【００４１】
例えば、群管理制御装置２は、第１の利用者が乗場行先階登録装置１１によって行先階を登録すると、ダブルデッキエレベータの運行制御方式に従って、登録された行先階に応じて応答する最適な乗りかご５を割り当てる。このとき、第１の利用者は、乗場行先階登録装置１１によって行先階を登録した後、利用者識別装置１９を登録時識別装置１７にかざして利用者識別装置１９の識別情報を読み取らせる。群管理制御装置２は、この行先階登録に対して割り当てた最適な乗りかご５がＡ号機である場合には、登録時識別装置１７から入力された第１の利用者に応じた登録時識別結果の信号をＡ号機の単体制御装置９に出力する。同様に、群管理制御装置２は、第２の利用者が乗場行先階登録装置１１によって行先階を登録し、登録された行先階に応じて割り当てられた最適な乗りかご５がＡ号機である場合には、登録時識別装置１７から入力された第２の利用者に応じた登録時識別結果の信号をＡ号機の単体制御装置９に出力する。なおここで、第２の利用者が乗場行先階登録装置１１によって登録した行先階は、第１の利用者と同じ行先階である場合もあるし、第１の利用者とは異なる行先階である場合もある。
【００４２】
そして、Ａ号機の単体制御装置９は、群管理制御装置２から入力される登録時識別結果と、Ａ号機の乗りかご５の乗りかご識別装置１８から入力される乗りかご内識別結果とを比較し、行先階の登録時にＡ号機の乗りかご５に割り当てられた利用者の登録時識別情報と、実際にＡ号機の乗りかご５内にいる利用者の乗りかご内識別情報とが一致するか否かを判定する。上記の例では、Ａ号機の単体制御装置９は、行先階の登録時にＡ号機の乗りかご５に割り当てられた第１の利用者及び第２の利用者の登録時識別情報と、乗りかご５内にいる利用者の乗りかご内識別情報とが一致するか否かを判定する。
【００４３】
Ａ号機の単体制御装置９は、例えば、乗りかご５内にいる利用者の識別情報として第１の利用者の識別情報が存在するものの第２の利用者の識別情報が存在せず、行先階の登録時にＡ号機の乗りかご５に割り当てられた登録時識別情報と、乗りかご５内にいる実際の利用者の乗りかご内識別情報とが一致しない場合には、Ａ号機に割り当てられた利用者がまだ全員乗り込んでいないと判定する。一方、Ａ号機の単体制御装置９は、乗りかご５内にいる利用者の識別情報として第１の利用者及び第２の利用者の識別情報が共に存在し、行先階の登録時にＡ号機の乗りかご５に割り当てられた登録時識別情報と、乗りかご５内にいる実際の利用者の乗りかご内識別情報とが一致する場合には、Ａ号機に割り当てられた利用者が全員乗り込んだと判定する。また、Ａ号機の単体制御装置９は、乗りかご５内にいる利用者の識別情報として行先階の登録時にＡ号機の乗りかご５に割り当てられた識別情報とは異なる識別情報（例えば、第３の利用者の識別情報）が存在する場合には、Ａ号機に割り当てられていない間違った利用者が乗り込んだと判定する。
【００４４】
すなわち、単体制御装置９は、群管理制御装置２から入力される登録時識別結果と、乗りかご識別装置１８から入力される乗りかご内識別結果とを比較することで、乗りかご５に割り振られた利用者が全員乗り込んだことを確実に確認することができる。さらに言えば、各単体制御装置９を含む制御装置５０は、登録時識別結果と、各乗りかご５の乗りかご内識別結果とを比較することで、複数の利用者がそれぞれに対して割り当てられた正しい乗りかご５に乗り込んだことを精度よく確認することができる。
【００４５】
そして、単体制御装置９は、乗りかご５（上記の例ではＡ号機の乗りかご５）に対して割り当てられた複数の利用者がこの乗りかご５に全員乗り込んだことを確認した場合に、予め設定された乗降待ち時間の途中であっても、乗りかご５の扉を閉じてこの乗りかご５を行先階に移動させる。これにより、このダブルデッキエレベータシステム１は、乗りかご５に対して割り当てられた複数の利用者がこの乗りかご５に全員乗り込んだことを確認したら、利用者の乗車を待つための時間を適宜短縮して、すぐに乗りかご５の扉を閉じてこの乗りかご５を行先階に移動させることができる。すなわち、このダブルデッキエレベータシステム１は、乗りかご５に対して割り当てられた複数の利用者がこの乗りかご５に全員乗り込んだ後に、無駄な待機時間が生じることを抑制することができる。この結果、このダブルデッキエレベータシステム１は、無駄な待ち時間を削減することができ、運行効率を向上することができる。
【００４６】
ここで、このダブルデッキエレベータシステム１は、図１に示すように、乗りかご５内に設けられる第１報知装置及び第２報知装置として兼用される報知装置２０を備えている。報知装置２０は、各乗りかご５内にそれぞれ１つずつ設けられ、利用者に対して種々の態様で報知可能な装置である。各報知装置２０は、各単体制御装置９によってその駆動が制御される。各報知装置２０は、例えば、報知音を出力可能なブザー、種々の音声情報をアナウンス可能なスピーカ等を含んで構成される。
【００４７】
そして、単体制御装置９は、乗りかご５に対して割り当てられた複数の利用者がこの乗りかご５に全員乗り込んだことを確認した場合に、報知装置２０を制御して、乗りかご５を行先階に移動させる旨を報知する。これにより、ダブルデッキエレベータシステム１は、乗りかご５に対して割り当てられた複数の利用者がこの乗りかご５に全員乗り込んだ際に、乗りかご５内の利用者に対して全員の乗り込みが終了したことを明確に伝えることができる。そして、ダブルデッキエレベータシステム１は、乗りかご５に対して割り当てられた複数の利用者がこの乗りかご５に全員乗り込んだことが確認され、予め設定された乗降待ち時間の途中に乗りかご５の扉を閉じてこの乗りかご５を行先階に移動させる場合であっても、その旨を当該乗りかご５内の利用者に報知することができる。この結果、ダブルデッキエレベータシステム１は、例えば、乗降待ち時間の途中で不意に乗りかご５の扉が閉じることを抑制することができ、利用者に対して不快感を与えてしまうことを抑制することができる。
【００４８】
また、単体制御装置９は、乗りかご５に対して割り当てられた複数の利用者がこの乗りかご５に全員乗り込んだことを確認する前に、乗りかご５内の利用者により乗りかご５の扉を閉じる扉閉操作がなされた場合に、乗りかご５の扉を開いた状態で維持する。そしてこの場合、単体制御装置９は、報知装置２０を制御して、乗りかご５への残りの乗車予定人数を報知する。すなわち、単体制御装置９は、乗りかご５内に割り当てられた利用者が全員乗っていない場合に、残りの乗客人数をアナウンスする。これにより、ダブルデッキエレベータシステム１は、乗りかご５内で待っている利用者に不快感を与えてしまうことを抑制することができると共に、乗りかご５に対して割り当てられた利用者がこの乗りかご５に乗り遅れてしまうことを抑制することができる。この結果、ダブルデッキエレベータシステム１は、例えば、乗り遅れてしまった利用者によって本来なら必要のない新たな呼び登録が追加されることを抑制することができ、さらに運行効率を向上することができる。
【００４９】
この場合、単体制御装置９は、予め設定された乗降待ち時間が経過しても乗りかご５内に割り当てられた利用者が全員乗っていない場合には、乗りかご５内に乗っていない利用者が行った行先階の登録（呼び登録）を取り消した後、乗りかご５の扉を閉じてこの乗りかご５をその他の行先階に移動させる。
【００５０】
また、単体制御装置９は、乗りかご５に対して割り当てられた利用者とは異なる利用者が乗車している場合、報知装置２０を制御して、少なくとも乗りかご５内にいる利用者のうちの１人が間違った乗りかご５に乗車している旨を報知し降車を促す。典型的には、単体制御装置９は、行先階の登録時に乗りかご５に割り当てられた登録時識別情報と乗りかご５内にいる利用者の乗りかご内識別情報とが異なる場合には、間違った乗りかご５に乗車している利用者がいる旨を報知する。これにより、ダブルデッキエレベータシステム１は、利用者が割り当てられた乗りかご５とは異なる間違った乗りかご５に乗車したまま、乗りかご５が行先階に向けて移動してしまうことを抑制することができ、エレベータ群３全体での効率のよい運行の妨げになることを抑制することができる。この結果、ダブルデッキエレベータシステム１は、さらに運行効率を向上することができる。
【００５１】
本実施形態において、制御装置５０としての群管理制御装置２は、ダブル運転モードにて、利用者により登録された行先階に応じて割り当てられた乗りかご５を、当該利用者が待機するダブル運転モードにおいて停止可能な所定の階床の乗場１０へ移動させる。具体的には、群管理制御装置２は、ダブル運転モードの場合には、停止可能な所定の階床（例えば、下かごであれば奇数階、上かごであれば偶数階）が規定されたテーブルを参照しつつ、制御信号を出力することで単体制御装置９を制御して、最適な乗りかご５を移動させる。本実施形態において、ダブル運転モードは、ダブルデッキエレベータにおける通常の運行制御方式として予め設定されているものとする。
【００５２】
次に、図６のフローチャートを参照してダブルデッキエレベータシステム１における基本制御の一例を説明する。なお、これらの制御ルーチンは、数百μｓないし数十ｍｓ毎の制御周期で繰り返し実行される。以下の制御は、基本的には、ダブルデッキエレベータの運行制御方式（ダブル運転モード又はシングル運転モード）に従って、制御装置５０を構成する各単体制御装置９においてそれぞれの乗りかご５を対象として実行されるものである。
【００５３】
まず、単体制御装置９は、乗場行先階登録装置１１を介した利用者による行先階の登録に応じて、群管理制御装置２からこの単体制御装置９が制御する乗りかご５に、当該呼び登録がなされた階床での利用者の割り当てがあるか否かを判定する（ステップＳＴ１）。単体制御装置９は、利用者の割り当てがないと判定した場合（ステップＳＴ１：Ｎｏ）、現在の制御周期を終了し、次の制御周期に移行する。
【００５４】
単体制御装置９は、利用者の割り当てがあると判定した場合（ステップＳＴ１：Ｙｅｓ）、呼び登録がなされた階床の乗場１０に乗りかご５を着床させ扉を開く。その後、単体制御装置９は、登録時識別装置１７による登録時識別結果と乗りかご識別装置１８による乗りかご内識別結果とに基づいて、行先階の登録時に乗りかご５に割り当てられた登録時識別情報と、実際に乗りかご５内にいる利用者の乗りかご内識別情報とが一致するか否かを判定する（ステップＳＴ２）。
【００５５】
単体制御装置９は、登録時識別情報と乗りかご内識別情報とが一致すると判定した場合（ステップＳＴ２：Ｙｅｓ）、報知装置２０を制御して、乗りかご５を行先階に移動させる旨を報知する（ステップＳＴ３）。
【００５６】
その後、単体制御装置９は、乗りかご５の扉を閉鎖して（ステップＳＴ４）、この乗りかご５を行先階に移動させ（ステップＳＴ５）、現在の制御周期を終了し、次の制御周期に移行する。
【００５７】
単体制御装置９は、ステップＳＴ２にて、登録時識別情報と乗りかご内識別情報とが一致しないと判定した場合（ステップＳＴ２：Ｎｏ）、登録時識別情報と異なる乗りかご内識別情報があるか否かを判定する（ステップＳＴ６）。
【００５８】
単体制御装置９は、登録時識別情報と異なる乗りかご内識別情報がないと判定した場合（ステップＳＴ６：Ｎｏ）、タイマやカウンタ等に基づいて、乗降待ち時間が経過したか否かを判定する（ステップＳＴ７）。
【００５９】
単体制御装置９は、乗降待ち時間が経過したと判定した場合（ステップＳＴ７：Ｙｅｓ）、ステップＳＴ４に移行する。
【００６０】
単体制御装置９は、ステップＳＴ７にて、乗降待ち時間が経過していないと判定した場合（ステップＳＴ７：Ｎｏ）、乗りかご５内の利用者により乗りかご５の扉を閉じる扉閉操作がなされたか否かを判定する（ステップＳＴ８）。
【００６１】
単体制御装置９は、乗りかご５内の利用者により乗りかご５の扉を閉じる扉閉操作がなされたと判定した場合（ステップＳＴ８：Ｙｅｓ）、乗りかご５の扉を開放状態で維持すると共に、報知装置２０を制御して、乗りかご５への残りの乗車予定人数を報知し（ステップＳＴ９）、ステップＳＴ２に戻って以降の処理を繰り返し実行する。
【００６２】
単体制御装置９は、乗りかご５内の利用者により乗りかご５の扉を閉じる扉閉操作がなされていないと判定した場合（ステップＳＴ８：Ｎｏ）、乗りかご５の扉を開放状態で維持したまま待機し（ステップＳＴ１０）、ステップＳＴ２に戻って以降の処理を繰り返し実行する。
【００６３】
単体制御装置９は、ステップＳＴ６にて、登録時識別情報と異なる乗りかご内識別情報があると判定した場合（ステップＳＴ６：Ｙｅｓ）、すなわち、乗りかご５に対して割り当てられた利用者とは異なる利用者が乗車している場合、報知装置２０を制御して、少なくとも乗りかご５内にいる利用者のうちの１人が間違った乗りかご５に乗車している旨を報知した後（ステップＳＴ１１）、ステップＳＴ７に移行する。
【００６４】
以上で説明したダブルデッキエレベータシステム１は、エレベータ４の乗りかご５の外部に設けられ、このエレベータ４が設けられる建物内の行先階を登録可能である乗場行先階登録装置１１と、乗場行先階登録装置１１によって行先階を登録した利用者を識別する登録時識別装置１７と、乗りかご５に乗り込んだ利用者を識別する乗りかご識別装置１８と、登録時識別装置１７による識別結果と、乗りかご識別装置１８による識別結果とに基づいて、乗場行先階登録装置１１によって登録された行先階に応じた乗りかご５に、この行先階を登録した利用者が乗り込んだか否かを判定する制御装置５０とを備える。したがって、ダブルデッキエレベータシステム１は、例えば、利用者が登録した行先階に応じて割り当てられた正しい乗りかご５に乗り込んだことを確実に確認することができ、よって、運行効率を向上することができる。
【００６５】
ここで、上述のダブルデッキエレベータシステム１において、ダブル運転モードでは、上下の各乗りかごで応答可能な階が制限されるので、利用者が直接目的階に行くことができないことがある。この場合、利用者は目的階の１階床手前もしくは１階床先の階床で乗りかごから降り、そこから目的階へ階段またはエスカレーターを利用することとなる。階段やエスカレーターを一人で利用するのが困難な利用者、例えば車椅子利用者、台車利用者、及び、高齢者などの非通常利用者にとっては、非常に不便である。この場合、ダブルデッキエレベータシステム１においてダブル運転モードが設定されている場合であっても、非通常利用者が利用するダブルデッキエレベータについては、群管理から切り離してシングル運転モードに切り替えることが望ましい。更に、このシングル運転モードへの切り替えを行える利用者を、確実に非通常利用者に限定することが、利便性及び運行効率の点で望ましい。
【００６６】
そこで、本実施形態のダブルデッキエレベータシステム１では、制御装置５０としての群管理制御装置２は、撮像装置３０によって撮像された利用者の撮像情報から、当該利用者が非通常利用者であるか否かを画像認識により判定する。そして、群管理制御装置２は、利用者が非通常利用者であると判定した場合であって、かつ、当該非通常利用者による乗場行先階登録装置１１に対する操作が検出された場合には、ダブルデッキエレベータの運行制御方式を、ダブル運転モードからシングル運転モードに切り替える。そして、群管理制御装置２は、制御信号を出力することで単体制御装置９を制御して、非通常利用者が待機する階床の乗場１０へ、上下の各乗りかごのうち使用可能な乗りかごを移動させる。
【００６７】
これにより、本実施形態におけるダブルデッキエレベータシステムによれば、非通常利用者以外の利用者がダブル運転モードからシングルモード運転に切り替えられないように確実に非通常利用者であることを特定した上で、車椅子利用者等の非通常利用者がダブルデッキエレベータを利用する場合には、ダブル運転モードをシングル運転モードに切り替える（すなわち、ダブル運転時でも群管理から一台を切り離しシングル運転にする）ことができる。その結果、非通常利用者におけるダブルデッキエレベータの利便性をより向上させることが可能となる。
【００６８】
次に、図７のフローチャートを参照してダブルデッキエレベータシステム１における運行制御方式切替制御の一例を説明する。なお、これらの制御ルーチンは、数百μｓないし数十ｍｓ毎の制御周期で繰り返し実行される。以下の制御は、基本的には、制御装置５０を構成する群管理制御装置２及び各単体制御装置９において、それぞれの乗りかご５を対象として実行されるものである。なお、以下の図７に示す運行制御方式切替制御は、上述の図６のフローチャートに示した基本制御と並行して実行されるものである。
【００６９】
まず、群管理制御装置２は、撮像装置３０によって撮像された利用者の撮像情報から、当該利用者が非通常利用者であるか否かを画像認識により判定する（ステップステップＳＴ２１）。群管理制御装置２は、画像認識結果から、利用者が非通常利用者であると判定した場合（ステップステップＳＴ２２：Ｙｅｓ）には、次のステップステップＳＴ２３の処理へ移行する。一方、群管理制御装置２は、画像認識結果から、利用者が非通常利用者ではないと判定した場合（ステップステップＳＴ２２：Ｎｏ）には、本処理をリターンする。
【００７０】
そして、群管理制御装置２は、非通常利用者による乗場行先階登録装置１１に対する操作が検出されたか否かを判定する（ステップステップＳＴ２３）。ステップステップＳＴ２３において、群管理制御装置２は、乗場行先階登録装置１１に対する操作として、非通常利用者が登録時識別装置１７に対して利用者識別装置１９に記憶された識別情報を読み取らせる操作を検出したか否か判定する。言い換えると、群管理制御装置２は、登録時識別装置１７が読み取って出力した識別情報が非通常利用者を示すものであるか否かを判定する。また、ステップステップＳＴ２３において、群管理制御装置２は、乗場行先階登録装置１１に対する操作として、非通常利用者専用の所定ボタンを押下する操作を検出したか否かを判定してもよい。
【００７１】
群管理制御装置２は、ステップステップＳＴ２３において、非通常利用者による乗場行先階登録装置１１に対する操作が検出された場合（ステップステップＳＴ２３：Ｙｅｓ）には、対象のエレベータ４に対して、ダブルデッキエレベータの運行制御方式を、ダブル運転モードからシングル運転モードに切り替える（ステップステップＳＴ２４）。これにより、上述の図６の基本制御は、シングル運転モードに従って実行されることになる。この場合、図６に示す基本制御において、群管理制御装置２は、対象のエレベータ４を制御する単体制御装置９に対して制御信号を出力することで、群管理からの切り離しを行う。そして、群管理制御装置２は、制御信号を出力して単体制御装置９を制御することで、非通常利用者が待機する階床の乗場１０へ、上下の各乗りかごのうち使用可能な乗りかごを移動させる。一方、群管理制御装置２は、非通常利用者による乗場行先階登録装置１１に対する操作が検出されなかった場合（ステップステップＳＴ２３：Ｎｏ）には、本処理をリターンする。
【００７２】
そして、対象のエレベータ４を制御する単体制御装置９は、非通常利用者が目的階にて降車完了したか否かを判定したら（ステップステップＳＴ２５：Ｙｅｓ）、運行制御方式をダブル運転モードに戻し、群管理制御装置２に対して群管理に組み込むように制御信号を出力する（ステップＳ２６）。その後、本処理をリターンする。
【００７３】
なお、以上で説明した乗場行先階登録装置１１は、図８に例示するように、複数の入力スイッチ１５ａ、表示部１６に替えて、入力装置であると共に文字や図形などの種々の情報を画像として表示可能である表示装置としても兼用される入力タッチパネル１５ｃを含んで構成されてもよい。この場合、登録時識別装置１７は、乗場行先階登録装置１１における入力タッチパネル１５ｃの側方に組み込まれている。また、上述の撮像装置３０及び非通常利用者専用の所定ボタン１５ｂについても、乗場行先階登録装置１１における入力タッチパネル１５ｃの側方に組み込まれている。
【００７４】
また、以上の説明では、乗りかご５内の利用者を照合する制御を行う制御装置は、単体制御装置９であるものとして説明したが、これに限らない。このダブルデッキエレベータシステム１は、群管理制御装置２が各単体制御装置９から乗りかご識別装置１８から入力される乗りかご内識別結果に関する信号を受け取って、群管理制御装置２側で各乗りかご５に割り当てられた利用者が全員乗り込んだか否かの判定を行って、判定結果を各単体制御装置９に出力するようにしてもよい。
【００７５】
また、このダブルデッキエレベータシステム１は、乗場行先階登録装置１１が登録装置及び登録時識別装置として兼用されるものとして説明するが、これに限らない。このダブルデッキエレベータシステム１は、例えば、入力スイッチ１５ａと登録時識別装置１７とが別体に構成され、登録装置と登録時識別装置とが別体に構成されるものであってもよい。また、以上の説明では、第１報知装置及び第２報知装置は、報知装置２０によって兼用されるものとして説明したが、それぞれ別体でもよい。
【００７６】
［実施形態２］
図９は、実施形態２に係るダブルデッキエレベータシステムの行先階登録装置の概略構成例を示す斜視図である。実施形態２に係るダブルデッキエレベータシステムは、登録装置と登録時識別装置と撮像装置とがセキュリティゲートに組み込まれて兼用される点で実施形態１とは異なる。その他、上述した実施形態と共通する構成、作用、効果については、重複した説明はできるだけ省略する。
【００７７】
図９に示す本実施形態のダブルデッキエレベータシステム２０１は、登録装置、登録時識別装置、及び撮像装置として兼用される行先階登録装置２１１を備える。本実施形態の行先階登録装置２１１は、セキュリティゲート２２０に組み込まれて一体で構成される。本実施形態のセキュリティゲート２２０は、いわゆるフラッパーゲートであり、例えば、このダブルデッキエレベータシステム２０１が適用される建物の出入口等に設置される。
【００７８】
このセキュリティゲート２２０に組み込まれた行先階登録装置２１１は、文字や図形などの種々の情報を画像として表示可能である表示部２１６や、識別情報を読み取る読取部２２１、セキュリティゲート２２０を通過する利用者を撮像する撮像部２３１等を含んで構成される。この行先階登録装置２１１は、読取部２２１によって、利用者識別装置１９に記憶されている識別情報を読み取って、この読み取った識別情報に基づいて、行先階を登録すると共にこの行先階を登録した利用者を識別する。利用者識別装置１９は、利用者を識別するための識別番号等の情報が識別情報として事前に記憶されている。またさらに、利用者識別装置１９は、識別情報に対応する行先階等も事前に記憶されている。行先階登録装置２１１は、例えば、電磁界、電波あるいは赤外線などを用いた無線通信によって利用者識別装置１９と情報をやりとりする。この他、行先階登録装置２１１は、撮像部２３１による撮像情報を群管理制御装置２に出力する。これにより、群管理制御装置２は、セキュリティゲート２２０を通過した利用者が非通常利用者であるか否かの判定処理を行うことが可能となる。
【００７９】
このダブルデッキエレベータシステム２０１は、利用者がセキュリティゲート２２０にて行先階登録装置２１１の読取部２２１に、利用者識別装置１９に記憶されている識別情報を読み取らせることで、この利用者による操作入力に応じて、行先階登録装置２１１が読み取った識別情報に対応して事前に設定されている行先階の呼び登録信号を群管理制御装置２に出力し行先階を呼び登録する。
【００８０】
利用者は、セキュリティゲート２２０にて、行先階登録装置２１１の読取部２２１によって、利用者識別装置１９の識別情報を読み取らせることで、行先階登録装置２１１は、セキュリティゲート２２０の動作と連動して、識別情報に対応して事前に設定されている行先階を呼び登録する。そして、行先階登録装置２１１は、群管理制御装置２の制御によって、表示部２１６に配車情報等を表示する。さらにこのとき、行先階登録装置２１１は、読み取った識別情報に基づいて、行先階を登録した利用者を識別する。行先階登録装置２１１は、識別した利用者の識別情報を登録時識別結果として群管理制御装置２に出力する。
【００８１】
そして、各単体制御装置９は、行先階登録装置２１１による登録時識別結果と、乗りかご識別装置１８による乗りかご内識別結果とに基づいて、乗りかご５に割り当てられた利用者が当該乗りかご５に乗り込んだか否かを判定する。そして、各単体制御装置９は、上記で説明した実施形態と同様にこの判定結果に応じて種々の制御を実行する。
【００８２】
以上で説明したダブルデッキエレベータシステム２０１では、行先階登録装置２１１は、セキュリティゲート２２０に組み込まれて登録装置と登録時識別装置、及び撮像装置として兼用され、利用者識別装置１９に記憶されている識別情報を読み取って、この読み取った識別情報に基づいて、行先階を登録すると共に当該行先階を登録した利用者を識別する。このような構成のダブルデッキエレベータシステム２０１であっても、例えば、利用者が登録した行先階に応じて割り当てられた正しい乗りかご５に乗り込んだことを確実に確認することができ、よって、運行効率を向上することができる。更に、行先階登録装置２１１は、セキュリティゲート２２０を通過した利用者を撮像部２３１によって撮像して撮像情報を制御装置へ送信することで、当該利用者が非通常利用者であるか否かを制御装置５０側に判定させることができる。これにより、非通常利用者のみに切替えが許可されているダブル運転モードからシングル運転モードへの切替制御を確実に行わせることが可能になる。
【００８３】
なお、上述した実施形態に係るダブルデッキエレベータシステムは、上述した実施形態に限定されず、特許請求の範囲に記載された範囲で種々の変更が可能である。
【００８４】
以上で説明した登録時識別装置、乗りかご識別装置は、それぞれ利用者を識別することができる構成であれば上記の構成に限られない。登録時識別装置、乗りかご識別装置は、例えば、生体認証や暗証番号の入力等によって利用者を識別する構成であってもよい。また、以上で説明したダブルデッキエレベータシステムでは、利用者識別装置としてＩＣカードを一例に説明したが、これに限定されない。利用者識別装置は、ＲＦＩＤタグ等が内蔵され、かつ、ディスプレイやスピーカー等の報知手段を備えた携帯端末装置（例えば、携帯電話、タブレット端末等）であってもよい。
【００８５】
以上で説明した実施形態に係るダブルデッキエレベータシステムによれば、利便性及び運行効率を向上することができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
１、２０１  ダブルデッキエレベータシステム
２  群管理制御装置
３  エレベータ群
４  エレベータ
５  乗りかご
９  単体制御装置
１０  乗場
１１  乗場行先階登録装置（登録装置）
１２  号機識別標識装置
１３  乗場行先階表示装置
１４  かご内行先階表示装置
１７  登録時識別装置
１８  乗りかご識別装置
１９  利用者識別装置
２０  報知装置
３０  撮像装置
５０  制御装置
２１１  行先階登録装置（登録装置、登録時識別装置、撮像装置）
２２０  セキュリティゲート
【図１】
2017001812.tif 000003
【図２】
2017001812.tif 000004
【図３】
2017001812.tif 000005
【図４】
2017001812.tif 000006
【図５】
2017001812.tif 000007
【図６】
2017001812.tif 000008
【図７】
2017001812.tif 000009
【図８】
2017001812.tif 000010
【図９】
2017001812.tif 000011